(57)【要約】  符号分割多重アクセス（ＣＤＭＡ）無線アクセスネットワークのようなセルラ無線アクセスネットワークから非ライセンス移動アクセスネットワーク（ＵＭＡＮ）へ通信をハンドオフするための方法、システム及び移動機が提供される。ハンドオフは、移動機、ＵＭＡＮの非ライセンスネットワーク制御装置、セルラ無線アクセスネットワークの基地局制御装置及びコアネットワークの間のシグナリングシーケンスによって生じさせられうる。このシグナリングシーケンスにおいて、他に割り当てられていないパイロットＰＮオフセットを用いるか、帯域クラスと無効周波数を用いるような様々な方法でＵＭＡＮは識別されることが考えられる。【選択図】図２
2008518541.tif 000002
【特許請求の範囲】
【請求項１】
移動機との通信を、セルラ無線アクセスネットワークから非ライセンス移動アクセスネットワーク（ＵＭＡＮ）へハンドオフする方法であって、
前記移動機を前記ＵＭＡＮに登録する段階であって、前記ＵＭＡＮの非ライセンスネットワーク制御装置を前記移動機に対して識別する段階を含み、該非ライセンスネットワーク制御装置を識別する段階は帯域クラス及び個々の帯域クラスの周波数範囲の外の周波数を前記非ライセンスネットワーク制御装置に割り当てることを含む、登録段階と、
前記セルラ無線アクセスネットワークから前記ＵＭＡＮへの通信のハンドオフを指示するメッセージを、前記移動機から前記セルラ無線アクセスネットワークへ送信する段階と、
前記移動機がその後、前記ＵＭＡＮの非ライセンスネットワーク制御装置と通信するように、前記セルラ無線アクセスネットワークからＵＭＡＮへ通信をハンドオフする段階と、を含む方法。
【請求項２】
前記通信のハンドオフの指示が、所定値より小さい複数のパイロット擬似雑音（ＰＮ）オフセットのためのパイロット強度を送信することを含む請求項１に記載の方法。
【請求項３】
前記移動機へ、非ライセンスネットワーク制御装置に割り当てられる周波数を含むメッセージを送信する段階を更に含む請求項２に記載の方法。
【請求項４】
移動機との通信を、セルラ無線アクセスネットワークから非ライセンス移動アクセスネットワーク（ＵＭＡＮ）へハンドオフする方法であって、
前記移動機を前記ＵＭＡＮに登録する段階であって、前記ＵＭＡＮの非ライセンスネットワーク制御装置を前記移動機に対して識別する段階を含み、該非ライセンスネットワーク制御装置を識別する段階はパイロット擬似雑音（ＰＮ）オフセットを前記非ライセンスネットワーク制御装置に割り当てる段階を含み、前記非ライセンスネットワーク制御装置に割り当てられるパイロットＰＮオフセットは他に割り当てられていない、登録段階と、
前記セルラ無線アクセスネットワークから前記ＵＭＡＮへの通信のハンドオフを指示するメッセージを、前記移動機から前記セルラ無線アクセスネットワークへ送信する段階と、
前記移動機がその後、前記ＵＭＡＮの非ライセンスネットワーク制御装置と通信するように、前記セルラ無線アクセスネットワークから前記ＵＭＡＮへ通信をハンドオフする段階と、を含む方法。
【請求項５】
前記非ライセンスネットワーク制御装置に割り当てられる前記パイロットＰＮを前記非ライセンスネットワーク制御装置のセル・グローバル識別子（ＣＧＩ）に関係付け、その関係を前記セルラ無線アクセスネットワークに提供する段階を更に含む請求項４に記載の方法。
【請求項６】
前記通信のハンドオフの指示が、前記非ライセンスネットワーク制御装置に割り当てられる前記パイロットＰＮオフセットに、任意の他のパイロットＰＮオフセットに割り当てられるものより大きいパイロット強度を割り当てるメッセージを、前記移動機から前記セルラ無線アクセスネットワークへ送信することを含む請求項４に記載の方法。
【請求項７】
移動機との通信を、符号分割多重アクセス（ＣＤＭＡ）無線アクセスネットワークから非ライセンス移動アクセスネットワーク（ＵＭＡＮ）へハンドオフする方法であって、
前記移動機を前記ＵＭＡＮに登録する段階であって、前記ＵＭＡＮの非ライセンスネットワーク制御装置を前記移動機に対して識別する段階を含む、登録段階と、
前記移動機から前記ＣＤＭＡ無線アクセスネットワークへ、前記ＣＤＭＡ無線アクセスネットワークから前記ＵＭＡＮへの通信のハンドオフを指示するメッセージを送信する段階と、
前記移動機がその後、前記ＵＭＡＮの非ライセンスネットワーク制御装置と通信するように、ＣＤＭＡ無線アクセスネットワークから前記ＵＭＡＮへ通信をハンドオフする段階と、を含む方法。
【請求項８】
前記非ライセンスネットワーク制御装置を識別する段階は、パイロット擬似雑音（ＰＮ）オフセットを前記非ライセンスネットワーク制御装置に割り当てる段階であって、前記非ライセンスネットワーク制御装置に割り当てられる該パイロットＰＮオフセットは、他に割り当てられていない、割り当て段階を含む請求項７に記載の方法。
【請求項９】
前記非ライセンスネットワーク制御装置に割り当てられる前記パイロットＰＮオフセットを前記非ライセンスネットワーク制御装置のセル・グローバル識別子（ＣＧＩ）に関係付け、その関係を前記ＣＤＭＡＮ無線アクセスネットワークに提供する段階を含む請求項８に記載の方法。
【請求項１０】
前記通信のハンドオフの指示が、前記非ライセンスネットワーク制御装置に割り当てられる前記パイロットＰＮオフセットに、任意の他のパイロットＰＮオフセットに割り当てられるものより大きいパイロット強度を割り当てるメッセージを、前記移動機から前記ＣＤＭＡ無線アクセスネットワークへ送信することを含む請求項８に記載の方法。
【請求項１１】
複数の帯域クラスが個々の周波数範囲を定義し、前記非ライセンスネットワーク制御装置を識別する段階は、帯域クラス及び前記個々の帯域クラスの周波数範囲の外の周波数を前記非ライセンス制御装置に割り当てる段階を含む請求項７に記載の方法。
【請求項１２】
前記通信のハンドオフの指示は、所定値より小さい複数のパイロット擬似雑音（ＰＮ）オフセットのためのパイロット強度を送信することを含む請求項１１に記載の方法。
【請求項１３】
前記非ライセンスネットワーク制御装置に割り当てられる周波数を含むメッセージを前記移動機に送信する段階を更に含む請求項１２に記載の方法。
【請求項１４】
移動機からの通信をハンドオフするためのシステムであって、
非ライセンス移動アクセスネットワーク（ＵＭＡＮ）の非ライセンスネットワーク制御装置であって、前記移動機を前記ＵＭＡＮに登録する間に、移動機に対して識別される機能を有する非ライセンスネットワーク制御装置と、
前記移動機との通信をサポートし、前記ＵＭＡＮへの通信のハンドオフを指示するメッセージを前記移動機から受信するための、符号分割多重アクセス（ＣＤＭＡ）無線アクセスネットワークの基地局制御装置と、を備え、
前記非ライセンスネットワーク制御装置と前記基地局制御装置はさらに、前記ＣＤＭＡ無線アクセスネットワークから前記ＵＭＡＮへ通信をハンドオフするために共同する機能を有し、それによって、前記移動機はその後、前記ＵＭＡＮの前記非ライセンスネットワーク制御装置と通信することを特徴とするシステム。
【請求項１５】
前記非ライセンスネットワーク制御装置は、他に割り当てられないパイロット擬似雑音（ＰＮ）オフセットによって識別される機能を有する請求項１４に記載のシステム。
【請求項１６】
前記基地局制御装置は、前記非ライセンスネットワーク制御装置に割り当てられる前記パイロットＰＮオフセットと前記非ライセンスネットワーク制御装置のセル・グローバル識別子（ＣＧＩ）との関係を格納する機能を有する請求項１５に記載のシステム。
【請求項１７】
前記ＵＭＡＮへの通信のハンドオフを指示するために、前記基地局制御装置は、前記非ライセンスネットワーク制御装置に割り当てられるパイロットＰＮオフセットに任意の他のパイロットＰＮオフセットに割り当てられるものより大きいパイロット強度を割り当てるメッセージを、前記移動機から受信する機能を有する請求項１５に記載のシステム。
【請求項１８】
複数の帯域クラスが個々の周波数範囲を定義し、前記非ライセンスネットワーク制御装置は、帯域クラス及び個々の帯域クラスの周波数範囲の外の周波数によって識別される機能を有する請求項１４に記載のシステム。
【請求項１９】
前記基地局制御装置は、前記ＵＭＡＮへ通信のハンドオフを指示するために、所定値より小さい、複数のパイロット擬似雑音（ＰＮ）オフセットのためのパイロット強度を定義するメッセージを、前記移動機から受信する機能を有する請求項１８に記載のシステム。
【請求項２０】
前記基地局制御装置はさらに、前記非ライセンスネットワーク制御装置に割り当てられる周波数を含むメッセージを、前記移動機に送信する機能を有する請求項１９に記載のシステム。
【請求項２１】
セルラ無線アクセスネットワークと非ライセンス移動アクセスネットワーク（ＵＭＡＮ）を介して通信する機能を有するデュアルモード移動機であって、
前記ＵＭＡＮの非ライセンスネットワーク制御装置の識別表示を格納するためのメモリであって、帯域クラス及び前記非ライセンスネットワーク制御装置を識別する個々の帯域クラスの周波数範囲の外の周波数を格納する機能を有するメモリと、
前記ＵＭＡＮの前記非ライセンスネットワーク制御装置の識別表示を取得することを含む、前記ＵＭＡＮに前記移動機の登録を行なうための制御装置であって、該制御装置はまた、前記セルラ無線アクセスネットワークから前記ＵＭＡＮへの通信のハンドオフ指示するメッセージを、前記セルラ無線アクセスネットワークに送信する機能を有し、それによって、前記セルラ無線アクセスネットワークから前記ＵＭＡＮへの通信のハンドオフに続いて、前記移動機はその後、前記ＵＭＡＮの非ライセンスネットワーク制御装置と通信する、制御装置と、を備える移動機。
【請求項２２】
前記ＵＭＡＮへの通信のハンドオフを指示するために、前記制御装置は、所定値より小さい、複数のパイロット擬似雑音（ＰＮ）オフセットのためのパイロット強度を定義するメッセージを、前記セルラ無線アクセスネットワークへ送信する請求項２１に記載の移動機。
【請求項２３】
前記制御装置はさらに、前記非ライセンスネットワーク制御装置に割り当てられる前記周波数を含むメッセージを、前記セルラ無線アクセスネットワークから受信する機能を有する請求項２１に記載の移動機。
【請求項２４】
セルラ無線アクセスネットワークと非ライセンス移動アクセスネットワーク（ＵＭＡＮ）を介して通信する機能を有するデュアルモード移動機であって、
前記ＵＭＡＮの非ライセンスネットワーク制御装置の識別表示を格納するためのメモリであって、前記非ライセンスネットワーク制御装置を識別し、他に割り当てられないパイロット擬似雑音（ＰＮ）オフセットを格納する機能を有するメモリと、
前記ＵＭＡＮの非ライセンスネットワーク制御装置の識別表示を取得することを含む前記ＵＭＡＮへの前記移動機の登録を行なうための制御装置であって、該制御装置はまた、前記セルラ無線アクセスネットワークから前記ＵＭＡＮへの通信のハンドオフを指示するメッセージを、前記セルラ無線アクセスネットワークへ送信する機能を有し、それによって、前記セルラ無線アクセスネットワークから前記ＵＭＡＮへのハンドオフに続き、前記移動機はその後、前記ＵＭＡＮの非ライセンスネットワーク制御装置と通信する、制御装置と、を備える移動機。
【請求項２５】
前記ＵＭＡＮへの通信のハンドオフを指示するために、前記制御装置は、前記非ライセンスネットワーク制御装置に割り当てられるパイロットＰＮオフセットに、任意の他のパイロットＰＮオフセットより大きいパイロット強度を割り当てるメッセージを、前記セルラ無線アクセスネットワークへ送信する機能を有する請求項２４に記載の移動機。
【請求項２６】
符号分割多重アクセス（ＣＤＭＡ）無線アクセスネットワークと非ライセンス移動アクセスネットワーク（ＵＭＡＮ）を介して通信する機能をデュアルモード移動機であって、
前記ＵＭＡＮの非ライセンスネットワーク制御装置の識別表示を格納するためのメモリと、
前記ＵＭＡＮの非ライセンスネットワーク制御装置の識別表示を取得することを含む、前記ＵＭＡＮへの前記移動機への登録を行なうための制御装置であって、前記制御装置はまた、前記ＣＤＭＡ無線アクセスネットワークから前記ＵＭＡＮへの通信のハンドオフを指示するメッセージを前記ＣＤＭＡ無線アクセスネットワークへ送信する機能を有し、それによって、前記ＣＤＭＡ無線アクセスネットワークから前記ＵＭＡＮへの通信のハンドオフに続き、前記移動機はその後、前記ＵＭＡＮの非ライセンスネットワーク制御装置と通信する、制御装置と、を備える移動機。
【請求項２７】
前記メモリは、前記非ライセンスネットワーク制御装置を識別し、他に割り当てられないパイロット擬似雑音（ＰＮ）オフセットを格納する機能を有する請求項２６に記載された移動機。
【請求項２８】
前記ＵＭＡＮへの通信のハンドオフを指示するために、前記制御装置は、前記非ライセンスネットワーク制御装置に割り当てられるパイロットＰＮオフセットに、任意の他のパイロットＰＮオフセットに割り当てるものより大きいパイロット強度を割り当てるメッセージを、前記ＣＤＭＡアクセスネットワークへ送信する機能を有する請求項２７に記載の移動機。
【請求項２９】
複数の帯域クラスは個々の周波数範囲を定義し、前記メモリは、前記非ライセンスネットワーク制御装置を識別する帯域クラス及び個々の帯域クラスの周波数範囲の外の周波数を格納する機能を有する請求項２６に記載の移動機。
【請求項３０】
前記ＵＭＡＮへの通信のハンドオフを指示するために、前記制御装置は、所定値より小さい、複数の擬似雑音（ＰＮ）オフセットのためのパイロット強度を定義するメッセージを、前記ＣＤＭＡ無線アクセスネットワークへ送信する機能を有する請求項２９に記載の方法。
【請求項３１】
前記制御装置はさらに、前記非ライセンスネットワーク制御装置に割り当てられる周波数を含むメッセージを、前記ＣＤＭＡ無線アクセスネットワークから受信する機能を有する請求項３０に記載の移動機。
【発明の詳細な説明】
【技術分野】
【０００１】
本発明は、概略的には異なるタイプのネットワーク間におけるシームレスな通信のハンドオフに関連し、より具体的にはセルラ無線アクセスネットワークから非ライセンス移動アクセスネットワークへ通信をハンドオフするための方法、システム及び移動機に関連する。
【背景技術】
【０００２】
非ライセンス移動アクセスネットワーク（Ｕｎｌｉｃｅｎｓｅｄ  ｍｏｂｉｌｅ  ａｃｃｅｓｓ  ｎｅｔｗｏｒｋｓ（ＵＭＡＮｓ））は、従来のセルラ無線アクセスネットワークに関連する多くの利点を提供するものとして開発されてきた。例えば、ＵＭＡＮは、いくつかの状況において、従来のセルラ無線アクセスネットワークより高速であり、及び／または、従来のセルラ無線アクセスネットワークより利用コストが低いことが考えられる。従って、少なくともいくらかの場合においては、ＵＭＡＮを介してコアネットワークへアクセスすることは、より古いセルラ無線アクセスネットワークに対して有利である。
【０００３】
ＵＭＡＮは、一般的に、例えば、Ｂｌｕｅｔｏｏｔｈ特別利益団体によって開発されたＢｕｌｅｔｏｏｔｈTMブランド無線アクセス技術、ＩＥＥＥ８０２．１１のような無線ローカル・エリア・ネットワーク（ＷＬＡＮ）技術、ＩＥＥＥ８０２．１６のようなＷｉＭＡＸ技術、または同様の手段によって非ライセンスの周波数帯において移動機と通信するための送受信器のようなアクセスポイントを備える。ＵＭＡＮのアクセスポイントは、広帯域ＩＰアクセスネットワークを介して非ライセンスネットワーク制御装置へ接続される。この非ライセンスネットワーク制御装置は、言い換えれば、コアネットワークとの通信をサポートし、それにより、表面的には、ユーザの観点からは同じ方法でその通信が従来のセルラ無線アクセスネットワークによってサポートされているかのように、移動機がコアネットワークと通信することが可能となる。
【０００４】
運用中は、セルラ無線アクセスネットワークによってサポートされる通信セッションに含まれる移動機がＵＭＡＮによってサポートされる位置へ移動することが考えられる。このシナリオにおいては、通信セッションは、望ましくはセルラ無線アクセスネットワークからＵＭＡＮへシームレスな方法でハンドオフされ、それによって、少なくとも移動機がＵＭＡＮのサービスエリアの外の位置へ移動するまで、その後の通信がＵＭＡＮによってサポートされる。
【０００５】
ＧＳＭ（Ｇｌｏｂａｌ Ｓｙｓｔｅｍ ｆｏｒ Ｍｏｂｉｌｅ ｃｏｍｍｕｎｉｃａｔｉｏｎｓ）及び／またはＧＰＲＳ（Ｇｅｎｅｒａｌ Ｐａｃｋｅｔ Ｒａｄｉｏ Ｓｅｒｖｉｃｅｓ）サービスへのＵＭＡＮを介するアクセスを提供するために、非ライセンス移動アクセス（ＵＭＡ）技術のための技術仕様書が開発されてきた。２００４年１０月８日付、ＵＭＡアーキテクチャ（Ｓｔａｇｅ２）Ｒ１．０．１技術仕様書（以下、「ＵＭＡアーキテクチャ仕様書」という。）を参照されたい。このＵＭＡアーキテクチャ仕様書は、通信セッションがＧＳＭ／ＧＰＲＳ無線アクセスネットワークからＵＭＡＮへハンドオフされる方法を定義する。ＵＭＡアーキテクチャ仕様書の第９．１０章を参照されたい。移動機が、ＧＳＭ／ＧＰＲＳ無線アクセスネットワークではなくＵＭＡＮを介する通信を好むように構成され、そして、移動機がＵＭＡＮを検出し首尾よくＵＭＡＮに登録した場合を考えると、移動機、ＧＳＭ／ＧＰＲＳ無線アクセスネットワークの基地局制御装置、及びコアネットワークは、所定のシグナリングシーケンスを実行し、セルラ無線アクセスネットワークからＵＭＡＮへ通信セッションを首尾よくハンドオフする。
【０００６】
これに関連して、ＧＳＭ／ＧＰＲＳネットワーク内の識別目的のため、ＵＭＡＮは絶対無線周波数チャネル番号（ＡＲＦＣＮ）及び基地局識別コード（ＢＳＩＣ）が割り当てられ、そして、基地局制御装置には、ＵＭＡＮのＡＲＦＣＮ及びＢＳＩＣだけでなく、ＵＭＡＮのＡＲＦＣＮ及びＢＳＩＣとＵＭＡＮのセル・グローバル識別表示（ＣＧＩ）との関係が提供される。その後、ＵＭＡＮの検出に応じて、移動機は、まず、測定報告を基地局制御装置へ提供する。その測定報告は、そのＡＲＦＣＮ及びＢＳＩＣによって特定されるＵＭＡＮのための最も高い信号レベルを報告する。基地局制御装置は、もう一方のネットワーク、この場合は、ＵＭＡＮに関係付けられた最も高い信号レベルを認識することに応じて、ＵＭＡＮのＣＧＩを識別する。基地局制御装置はそれから、ＧＳＭ／ＧＰＲＳ無線アクセスネットワークからＵＭＡＮへ通信をハンドオーバするために要求されるシグナリングシーケンスを開始する。ハンドオーバが完了すると、移動機は、大抵はＧＳＭ／ＧＰＲＳ無線アクセスネットワークを介する同様の通信より高速かつ安価にＵＭＡＮを介してコアネットワークと通信することが可能となる。
【発明の開示】
【発明が解決しようとする課題】
【０００７】
残念なことに、ＵＭＡアーキテクチャ仕様書は、ＧＳＭ／ＧＰＲＳ無線アクセスネットワークからＵＭＡＮへのハンドオフを提供するだけであって、その他のタイプのセルラ無線アクセスネットワークからＵＭＡＮへの通信セッションのハンドオフはサポートしていない。これに関連して、ＵＭＡＮを識別するために利用されるＡＲＦＣＮ及びＢＳＩＣは、ＧＳＭ／ＧＰＲＳ技術特有であり、符号分割多重アクセス（ＣＤＭＡ）ネットワークのようなその他のタイプのセルラネットワークと同時に利用されない。
【０００８】
ＵＭＡＮがさらに人気を高め、受け入れられるために、ＣＤＭＡ無線アクセスネットワークを含む様々な方式のセルラ無線アクセスネットワークから通信セッションのハンドオーバをより容易にすることが望まれるであろう。それによって、移動機がＣＤＭＡ無線アクセスネットワークのようなＧＳＭ／ＧＰＲＳ無線アクセスネットワーク以外のセルラ無線アクセスネットワークによって以前にサポートされていた場合であっても、利用可能なＵＭＡＮを介した通信の利益を移動機が得ることを許容しつつ、通信セッションが遮断されることを心配せずに、移動機はより自由に無線アクセスネットワーク間を移動できるようになる。
【課題を解決するための手段】
【０００９】
符号分割多重アクセス（ＣＤＭＡ）無線アクセスネットワークから非ライセンス移動アクセスネットワーク（ＵＭＡＮ）へ通信をハンドオフするための方法、システム及び移動機が提供される。そういったものとして、移動機は、ＣＤＭＡ無線アクセスネットワークのようなセルラ無線アクセスネットワークからＵＭＡＮへ移動することができ、その後、移動機の通信セッションを中断することなく、ＵＭＡＮによってサポートされうる。このように、移動機は、セルラ無線アクセスネットワークによって以前に提供された継続中の通信セッションを中断することなく、速度及びコストに関するようなＵＭＡＮによって提供される利点を利用する。
【００１０】
本発明の一つの態様にしたがえば、移動機はまずＵＭＡＮに登録する。ＵＭＡＮは、登録プロセスの一部として、移動機に識別される非ライセンスネットワーク制御装置を含む。ＵＭＡＮへのハンドオフを生じさせるために、セルラ無線アクセスネットワークからＵＭＡＮへの通信のハンドオフを指示するメッセージが、移動機からＣＤＭＡ無線アクセスネットワークのようなセルラ無線アクセスネットワークへ送信される。セルラ無線アクセスネットワークは、一般的に、移動機との通信をサポートし、この場合、移動機からのメッセージを受信し、ＵＭＡＮへ通信のハンドオフを指示するための基地局制御装置を含む。非ライセンスネットワーク制御装置と基地局制御装置との間の共同の結果、通信はその後、ＣＤＭＡ無線アクセスネットワークのようなセルラ無線アクセスネットワークからＵＭＡＮへハンドオフされ、それによって、移動機はその後、ＵＭＡＮの非ライセンスネットワークと通信する。
【００１１】
非ライセンスネットワーク制御装置は、複数の方法で識別されることが考えられる。一つの有利な実施形態においては、非ライセンスネットワーク制御装置に、パイロット擬似雑音（ＰＮ）オフセットが割り当てられる。非ライセンスネットワーク制御装置に割り当てられるパイロットＰＮオフセットは、セルラネットワーク内で他に割り当てられない。非ライセンスネットワーク制御装置に割り当てられるパイロットＰＮオフセットは、非ライセンスネットワーク制御装置のセル・グローバル識別子（ＣＧＩ）に関係付けられることが考えられる。非ライセンスネットワーク制御装置に割り当てられたパイロットＰＮオフセットとそのＣＧＩとの関係は、セルラ無線アクセスネットワーク、そして、さらに典型的には、基地局制御装置に提供される。この実施形態にしたがってセルラネットワークからＵＭＡＮへの通信のハンドオフを指示するために、移動機は、非ライセンスネットワーク制御装置に割り当てられるパイロットＰＮオフセットに、任意の他のパイロットＰＮオフセットに割り当てられるものより大きいパイロット強度を割り当てるメッセージを、セルラ無線アクセスネットワーク、そしてさらに典型的には、基地局制御装置に送信する。非ライセンスネットワーク制御装置に割り当てられるパイロットＰＮオフセットのパイロット強度に基づいて、基地局制御装置は、移動機との通信がハンドオフされるべきかを決定することができ、そして、最大パイロット強度を有するパイロットＰＮオフセットに関係付けられるＣＧＩによって識別されるネットワーク、すなわち、ＵＭＡＮとして、通信がハンドオフされるべきネットワークを識別することができる。
【００１２】
もう一つの有利な実施形態にしたがうと、非ライセンスネットワーク制御装置の識別表示は、個々の帯域クラスに関係付けられた所定の周波数範囲を有効に利用する。これに関連して、非ライセンスネットワーク制御装置には、帯域クラスと個々の帯域クラスの周波数範囲の外の周波数、すなわち、無効周波数を割り当てる。非ライセンスネットワーク制御装置に割り当てられた帯域クラスと周波数の組み合わせはそれから、非ライセンスネットワーク制御装置を識別するために利用されることが可能となる。非ライセンスネットワーク制御装置に割り当てられる周波数は、個々の帯域クラスにとって無効であるため、非ライセンスネットワーク制御装置に割り当てられる帯域クラスと周波数は、セルラネットワークによって他に使用されないことが確実に保証される。セルラ無線アクセスネットワークからＵＭＡＮへのハンドオフを指示するために、移動機は、所定値より小さい全てのパイロット強度を伴う複数のパイロットＰＮオフセットのための個々のパイロット強度を送信する。これに関連して、全てのパイロット強度は、ゼロに設定されるか、同じ小さい値に設定される。セルラ無線アクセスネットワーク、そしてさらに典型的には、非ライセンス無線アクセスネットワークの基地局制御装置が、移動機によって送信されるパイロット強度を受信し、ＵＭＡＮへ通信をハンドオフするための要求を示す一様に小さいパイロット強度を認識する。非ライセンスネットワーク制御装置に割り当てられる周波数を指示するメッセージはそれから、セルラ無線アクセスネットワーク、そして、より典型的には、基地局制御装置から、移動機へ送信される。所定のシグナリングシーケンスに続き、通信が効果的にＵＭＡＮへハンドオフされうる。
【００１３】
非ライセンスネットワーク制御装置が識別される方法に関係なく、本発明の方法は、確実に、ＣＤＭＡ無線アクセスネットワークのようなセルラ無線アクセスネットワークからＵＭＡＮへ通信のハンドオフを生じさせることができる。対応的に、ＵＭＡＮの非セライセンスネットワーク制御装置と、ＣＤＭＡ無線アクセスネットワークのようなセルラ無線アクセスネットワークの基地局制御装置と、を含むシステムが、セルラ無線アクセスネットワークからＵＭＡＮへ、移動機との通信をハンドオフするために提供される。さらに、デュアルモード移動機が、ＵＭＡＮの非ライセンスネットワーク制御装置の識別表示を格納するためのメモリと、ＵＭＡＮに移動機を登録し、その後、セルラ無線アクセスネットワークからＵＭＡＮへ通信のハンドオフを指示するためにセルラ無線アクセスネットワークにメッセージを送信し、そして、ハンドオフを生じさせるための必要なその後のシグナリングシークエンスをサポートするための制御装置を備える移動機を用いて、ＣＤＭＡ無線アクセスネットワークのようなセルラ無線アクセスネットワークとＵＭＡＮを介して交互に通信するために提供される。したがって、本発明の方法、システム及び移動機は、ＣＤＭＡ無線アクセスネットワークのようなセルラ無線アクセスネットワークからＵＭＡＮへの移動機との通信のハンドオフを容易にし、それによって、可能であればＵＭＡＮによって提供される利益を利用しつつ、ネットワーク間の移動機の移動を容易にする。
【発明を実施するための最良の形態】
【００１４】
このように、ここまで、本発明を一般的な言葉によって説明してきた。添付された図面は、必ずしも原寸に比例するものではない。
【００１５】
以下、本発明の好ましい実施形態が示された添付図面を参照しながら、本発明をより十分に説明する。この発明は、しかしながら、多くの形式において実施されることが考えられ、ここに説明される実施形態に限定して解釈されてはならない。むしろ、この開示は徹底的かつ完全であって、当業者に本発明の範囲を十分に提供するためにこれらの実施形態は提供されるものである。本明細書を通じて、同様の番号は同様の要素について言及する。
【００１６】
図１を参照すると、本発明の実施形態の利益を享受する一つの方式のシステム１０の説明図が提供される。本発明の実施形態のシステム、方法及び移動機１２は、主に、移動通信アプリケーションとともに説明される。これに関連して、移動機は、符号分割多重アクセス（ＣＤＭＡ）無線アクセスネットワーク１６のようなセルラ無線アクセスネットワークか非ライセンス移動アクセスネットワーク（ＵＭＡＮ）１８のいずれかを介してコアネットワーク１４と通信する機能を有する。移動機は携帯電話であることが考えられるが、移動機は、例えば、ポケベル、携帯情報端末（ＰＤＡ）、ハンドヘルド情報端末、ラップトップコンピュータ、及びその他の携帯電子装置を含むその他のタイプの無線端末装置からなるものであってもよい。その構成に関係なく、移動機は、ＣＤＭＡのようなセルラ無線モードやＵＭＡＮモードにおいて送受信することができるように少なくとも二つのモードにおいて動作する有利な機能を有している。二つのモードで動作する機能を有する移動機は、ＣＤＭＡネットワーク及びＵＭＡＮにおいて動作する機能を有するデュアルモード携帯電話のように、デュアルモード移動機と呼ばれる。以下に述べるように、デュアルモード移動機の通信インタフェースは、例えば、デュアルモード無線送受信機、または、セルラ無線ネットワーク及びＵＭＡＮにおいて動作するための個々の無線送受信機を備える。
【００１７】
図１に示されるように、本発明の移動機１２は、ＣＤＭＡ無線アクセスネットワーク１６のようなセルラ無線アクセスネットワーク、または、ＵＭＡＮ１８のいずれかを介してコアネットワーク１４と通信する機能を有している。これに関連して、ＣＤＭＡ無線アクセスネットワークは、限定する目的ではなく説明の目的で示されており、また、一般的に、移動機と直接通信するための複数の基地局２０を備える。基地局はまた、プライベートネットワーク２４を介して基地局制御装置２２と通信する。基地局制御装置は、それから、図３に示される一以上の訪問ネットワーク２８と同様に図２に示される移動機のホームネットワーク２６を含むことが考えられるコアネットワークと通信する。このように、移動機は、当業者に知られる従来型の方法で、セルラ無線アクセスネットワークを介してコアネットワークと通信することができる。
【００１８】
本発明に従えば、移動機１２はＵＭＡＮ１８を介してコアネットワーク１４と通信することもまた可能である。図１に示されるように、ＵＭＡＮは一般的に、非ライセンス移動アクセス（ＵＭＡ）送受信機のようなアクセスポイント２０を備える。アクセスポイントは、広帯域ＩＰネットワーク３４を介して非ライセンスネットワーク制御装置３２と通信する。非ライセンスネットワーク制御装置は、同様に、図２及び３に関連して以下に記載されるようにホーム及び訪問ネットワーク２６、２８を含むことがまた考えられるコアネットワークと通信する。ＵＭＡＮの典型的な例としては、ＢｌｕｅｔｏｏｔｈTMネットワーク、ＩＥＥ８０２．１１標準規格によって定義されたＷＬＡＮのような無線ローカル・エリア・ネットワーク（ＷＬＡＮ）、ＩＥＥＥ８０２．１６標準規格によって定義されるＷｉＭＡＸネットワーク、または非ライセンスの周波数帯域、すなわち、連邦通信委員会（ＦＣＣ）によってライセンスされた周波数帯域外の周波数によって動作するその他の無線ネットワークが挙げられる。
【００１９】
図２及び３に示されるように、非ライセンスネットワーク制御装置３２及びコアネットワーク１４の間の通信は、一般的に、図２に示されるように直接的に、または図３に示されるように訪問ネットワーク２８を介して間接的に、非ライセンスネットワーク制御装置と移動機のホームネットワーク２６との間の通信を含む。いずれかの実施形態において、非ライセンスネットワーク制御装置は、ホームまたは訪問ネットワークの移動通信交換局（ＭＳＣ）３６と通信する。ＭＳＣは、移動機が発呼するとき、及び、呼を受信するときは、移動機１２へ及び移動機１２から呼をルーティングする機能を有する。その移動機が呼に関与するときは、ＭＳＣは、地上通信幹線への接続を提供することも可能である。加えて、ＭＳＣは、移動機への及び移動機からの転送及び送信を制御する機能を有することも可能である。ホームまたは訪問ネットワークは、非ライセンスネットワーク制御装置と通信するため、及び、インターネット、イントラネット及びアプリケーションサーバへアクセスを提供するために、パケット・データ・サービング・ノード（ＰＤＳＮ）３８をもまた備える。
【００２０】
非ライセンスネットワーク制御装置３２が直接ホームネットワーク２６と通信している場合、非ライセンスネットワーク制御装置、そして、より典型的には非ライセンスネットワーク制御装置のセキュアゲートウェイ（ＳＧＷ）４０は、認証、承認及び課金（ＡＡＡ)サーバ４２と通信する。ＡＡＡサーバ４２は、次に、移動機１２を認証し、移動機の動作に伴う様々なサービスを承認し、そして、移動機によって利用されるサービスに対して課金するために必要なデータを含むデータベース４４へアクセスすることが考えられる。移動機がローミングしている場合のように、非ライセンスネットワーク制御装置が訪問ネットワーク２８と直接通信している図３に示されるように、非ライセンスネットワーク制御装置のセキュアゲートウェイは訪問ネットワークのＡＡＡプロキシ４６と通信する。ＡＡＡプロキシ４６は、次に、ホームネットワークのＡＡＡサーバ及びその関連するデータベースと通信し、その移動機のための必要な認証、承認及び課金サービスを提供することが考えられる。
【００２１】
移動機１２との通信についての、ＣＤＭＡ無線アクセスネットワーク１６のようなセルラ無線アクセスネットワークからＵＭＡＮへのハンドオフを容易にするために、ＵＭＡＮは、セルラ無線アクセスネットワークに識別可能である必要がある。二つの技術が以下に記載されるが、ＵＭＡＮを識別するための様々な技術が利用され得る。一つの実施形態においては、ＵＭＡＮは、セルラネットワーク内において他に使用されていないパイロット擬似雑音（ＰＮ）オフセットによって識別される。これに関連して、パイロット信号は、ＣＤＭＡネットワークのようなセルラネットワークにおいてセルを識別する。近隣セルは、従って、異なるパイロットＰＮオフセットを有することで、区別され得る。一般的には、５１２の異なるパイロットＰＮオフセット値が存在する。ほとんどのＣＤＭＡネットワークはパイロットＰＮオフセット値の全てを使用するわけではないため、ＣＤＭＡネットワークによって他に使用されていないパイロットＰＮオフセットはＵＭＡＮに割り当てられ得る。例えば、ＵＭＡＮの構造に応じて、または、基地局制御装置及び非ライセンスネットワーク制御装置の両方を含むネットワークの初期構成の間に、パイロットＰＮオフセットがシステムオペレータによって割り当てられることが考えられる。非ライセンスネットワーク制御装置を識別するパイロットＰＮオフセットはまた、非ライセンスネットワーク制御装置３２のサービスエリアを示すセル・グローバル識別子（ＣＧＩ）に関係付けられる。ＵＭＡＮの構造に応じて、または、他に初期構成プロセスの間に、セルラ無線アクセスネットワーク、そして、さらに典型的には、セルラ無線アクセスネットワークの基地局制御装置２２に、個々のＵＭＡＮに割り当てられたＣＧＩおよびパイロットＰＮオフセットの両方が提供され、この関係は、ネットワークオペレータによって基地局制御装置に格納される。
【００２２】
ＣＤＭＡ無線アクセスネットワーク１６のようなセルラ無線アクセスネットワークから、ＵＭＡＮ１８への通信のハンドオフを促すため、移動機は、ＵＭＡＮが使用可能である場合、ＵＭＡＮを介した通信を好むように構成される。ＵＭＡＮを好む設定は、ＵＭＡＮを介して通信するように構成された移動機については従来型のものであり、従って、ここでさらには説明しない。従来の方法を用いた移動機によるＵＭＡＮの検出に応じて、移動機はＵＭＡＮへの登録を開始する。登録プロセスの間、ＵＭＡＮ、そして、さらに典型的には、非ライセンスネットワーク制御装置３２は、移動機にＵＭＡＮに関連する情報を提供する。これに関連して、ＵＭＡＮは、一般的には、ＵＭＡＮに割り当てられたパイロットＰＮオフセットを移動機に提供する。移動機がＵＭＡＮを検出し、首尾よくＵＭＡＮに登録した場合、セルラ無線アクセスネットワークからＵＭＡＮへの通信のハンドオフを生じさせるために、図４に示されるような好ましいシグナリングシーケンスが実行される。
【００２３】
これに関連して、この実施形態の移動機１２は、ＵＭＡＮ１８に割り当てられるパイロットＰＮオフセットを含むパイロット測定メッセージ（ＰＳＭＭ）を最初に送信する。ここで使用されるように、パイロット測定メッセージは、パイロット強度測定メッセージ、拡張パイロット強度測定メッセージ、パイロット強度最小メッセージ、またはその他の類似のパイロット測定メッセージのうちの一以上のものを含む。当業者に知られているように、これらのメッセージは、移動機によって観測され、パイロットＰＮオフセットによって識別される様々なセルのための異なるパイロット強度を、ＣＤＭＡ無線アクセスネットワーク１６のようなセルラ無線アクセスネットワークの基地局制御装置２２に知らせる。パイロットＰＮオフセットが直接に提供されうる一方で、パイロット測定メッセージは一般的に、個々のパイロットＰＮ位相によって、ＵＭＡＮを含む様々なセルを識別する。基地局制御装置２２が、個々のパイロットＰＮ位相から、個々のパイロットＰＮオフセットを決定することができる。これに関連して、パイロットＰＮ位相は、以下のようにパイロットＰＮオフセットに関連することが考えられる。
パイロットＰＮ位相=[パイロット到来 + (６４×パイロットＰＮオフセット)] ＭＯＤ２15
ここでパイロット到来はＵＭＡＮについては０である。
【００２４】
本発明のこの実施形態にしたがってハンドオフを生じさせるために、移動機１２は最も高い信号レベル、すなわち、最大ＰＮ値を、ＵＭＡＮ１８に割り当てられたパイロットＰＮオフセットに関係付ける。パイロット測定メッセージ及び従来のハンドオフ・アルゴリズムに基づいて、基地局制御装置２２は、通信セッションが、ＵＭＡＮへハンドオーバされるべきであることを決定し、ＵＭＡＮのＣＧＩへのパイロットＰＮオフセットの関係に基づいてＵＭＡＮを識別する。基地局制御装置は、それから、Ｈａｎｄｏｆｆ ＲｅｑｕｉｒｅｄメッセージをターゲットセルすなわちＵＭＡＮを識別するコアネットワーク１４へ送信し、周波数内ハードハンドオフを開始する。典型的には、ＵＭＡＮは、そのＣＧＩを用いてコアネットワークについて識別される。
【００２５】
図４に示されるように、コアネットワーク１４は、それから、非ライセンスネットワーク制御装置にハンドオーバのための必要なリソースを割り当てることを要求するＨａｎｄｏｆｆＲｅｑｕｅｓｔメッセージを非ライセンスネットワーク制御装置３２へ送信する。非ライセンスネットワーク制御装置は、それから、非ライセンスネットワーク制御装置が要求されたハンドオーバをサポートできることを示すＨａｎｄｏｆｆ Ｒｅｑｕｅｓｔ Ａｃｋｎｏｗｌｅｄｇｅメッセージを用いて、Ｈａｎｄｏｏｆｆ Ｒｅｑｕｅｓｔメッセージに応答する。非ライセンスネットワーク制御装置はまた、移動機１２が向けられるべき無線チャネルを指示するハンドオフ命令を提供する。コアネットワークは、次に、ＨａｎｄｏｆｆＣｏｍｍａｎｄを基地局制御装置へ転送し、それによって、ＵＭＡＮ１８へのハンドオフのための準備を完了する。
【００２６】
基地局制御装置２２は、次に、ｇｅｎｅｒａｌ ｈａｎｄｏｆｆ ｄｉｒｅｃｔｉｏｎメッセージ／ｕｎｉｖｅｒｓａｌ ｈａｎｄｏｆｆ ｄｉｒｅｃｔｉｏｎメッセージのようなＨａｎｄｏｆｆＣｏｍｍａｎｄメッセージを移動機１２へ送信し、ＵＭＡＮ１８へのハンドオフを開始する。ＧＨＤＭ／ＵＨＤＭは、この場合、ＵＭＡＮに割り当てられたパイロットＰＮオフセットのみを含むターゲットアクティブセットを含む。ＧＨＤＭ／ＵＨＤＭがＵＭＡＮへのハンドオーバを開始する一方で、移動機は、ハンドオーバの完了、すなわち、移動機がＵＲＲ Ｈａｎｄｏｖｅｒ Ｃｏｍｐｌｅｔｅメッセージを送信するまで、その音声パス（ａｕｄｉｏ ｐａｔｈ）を基地局制御装置からＵＭＡＮへ切り換えないことで、少しでも音声中断を短くする。移動機はＧＨＤＭ／ＵＨＤＭの受信に応答することが考えられ、基地局制御装置は、それから、ハードハンドオフの開始を指示するＨａｎｄｏｆｆ Ｃｏｍｍｅｎｃｅｄメッセージをコアネットワーク１４へ送信する。Ｈａｎｄｏｆｆ Ｃｏｍｍｅｎｃｅｄメッセージはコアネットワークに、移動機が首尾よくハンドオフコマンドメッセージを受信したことを示す。移動機は、それから、ＵＲＲ Ｈａｎｄｏｖｅｒ Ａｃｃｅｓｓメッセージを用いて非ライセンスネットワーク制御装置３２にアクセスする。
【００２７】
本実施形態の非ライセンスネットワーク制御装置３２はそれから、図４においてＵＲＲＲＴＰ Ｓｔｒｅａｍ Ｓｅｔｕｐと示される信号によって一般的に指示されるように、移動機１２とのベアラパスを設定する。これに関連して、非ライセンスネットワーク制御装置は、ＵＲＲアクティブチャネルメッセージを移動機へ送信することが考えられる。それは、アップリンクストリームのためのチャネル符号化、ユーザ・データグラム・プロトコル（ＵＤＰ）ポート、及びＩＰアドレス、ボイスサンプルサイズ、引き続くセルラ無線アクセスネットワークの場合の使用のための暗号モード、及び適応マルチレート（ＡＭＲ）コーデックが利用される場合マルチレート情報のようなベアラパス設定情報を含む。移動機は、発呼者を音声パスへまだ接続していないが、移動機はそれから、非ライセンスネットワーク制御装置へのリアル・タイム・プロトコル（ＲＴＰ）パスを確立する。非ライセンスネットワーク制御装置はそれから、移動機へのダウンリンクＲＴＰパスを確立し、それによって、非ライセンスネットワーク制御装置は、アイドルＲＴＰ／ＵＤＰパケットを移動機へ送信し始めることが考えられる。最終的に、非ライセンスネットワーク制御装置は、ＵＲＲ ａｃｔｉｖａｔｅ ｃｈａｎｎｅｌ ｃｏｍｐｌｅｔｅメッセージとともに移動機へベアラパスの完了の信号を送り、それによって、ここで、エンド・ツー・エンド音声パスが移動機とコアネットワークの間に確立され、移動機は、今、発呼者をこの音声パスに接続することができる。
【００２８】
ＵＲＲ ＲＴＰストリーム設定の完了に続いて、ユーザが基地局制御装置ユーザプレーンからＵＭＡＮユーザプレーンへ同時に切り換えられる間に、移動機１２は、そのエンドにおいてハンドオーバ手順の完了を示すためのＵＲＲ Ｈａｎｄｏｖｅｒ Ｃｏｍｐｌｅｔｅメッセージを送信する。その後、非ライセンスネットワーク制御装置が移動機を検出したことを示すＨａｎｄｏｖｅｒ Ｃｏｍｐｌｅｔｅメッセージを、非ライセンスネットワーク制御装置３２がコアネットワーク１４へ送信する。コアネットワークは、今、ユーザプレーンをＣＤＭＡ無線アクセスネットワーク１６からＵＭＡＮ１８へ切り換えることができる。その後、双方向ボイストラヒックが、移動機とコアネットワークの間を、非ライセンスネットワーク制御装置を介して流れる。コアネットワークは、それから、Ｃｌｅａｒ Ｃｏｍｍａｎｄを用いて基地局制御装置２２への接続を取り消すことができ、基地局制御装置は、Ｃｌｅａｒ Ｃｏｍｐｌｅｔｅメッセージを用いて、通信セッションのために以前割り当てられたリソースを開放することを確認することができる。
【００２９】
上述したように、セルラ無線アクセスネットワーク１６からＵＭＡＮへの通信のハンドオフを生じさせるために、移動機１２、非ライセンスネットワーク制御装置、基地局制御装置２２、及びコアネットワーク１４との間で送信される信号のシーケンスを或る程度変更し得るＵＭＡＮ１８、そして、さらに典型的には、非ライセンスネットワーク３２が異なって識別される。これに関連して、パイロットＰＮオフセットを用いるＵＭＡＮの識別表示は、セルラネットワークとＵＭＡＮとの間のシグナリングに対して何らの影響もないという点で有益である。しかし、いくつかのまれな場合においては、使用されていないパイロットＰＮオフセットがないことが考えられ、ＵＭＡＮは異なる方法で識別される必要があるかも知れない。もう一つの単なる例である方法によっては、ＵＭＡＮは、ＰＨＹ層のための個々の帯域クラスにおいて無効な周波数によって識別され得る。これに関連して、様々な帯域クラスが、対応する所定の周波数帯域を有する各帯域クラスを用いて定義される。例えば、北アメリカセルラシステムのための帯域クラス０は、８２４ＭＨｚから８４９ＭＨｚの移動送信周波数帯域と、８６９ＭＨｚから８９４ＭＨｚの基地局送信周波数を有している。各帯域クラス内で、多くの異なる周波数チャネルが、いくらかの場合には、個々のＣＤＭＡ周波数によって識別される各周波数を用いて識別される。本実施形態に従えば、ＵＭＡＮは、帯域クラス、及び、個々の帯域クラスに関係付けられた所定の周波数帯域の外側にあるため無効である周波数によって識別されることが考えられる。例えば、非ライセンスネットワーク制御装置が、帯域クラス０において１９００ＭＨｚの周波数を用いて識別されることが考えられる。典型的には、基地局制御装置及び非ライセンスネットワーク制御装置の初期構成の間に、ネットワークオペレータが帯域クラス及び周波数をＵＭＡＮへ割り当てる。この初期構成プロセスの間に、ネットワークオペレータもまた、典型的には、ＵＭＡＮへのハンドオフを開始するためのトリガ（以下で説明）を認識するように基地局制御装置２２を構成し、基地局制御装置にＵＭＡＮの非ライセンスネットワーク制御装置３２を識別する周波数を提供する。
【００３０】
上述したように、移動機１２がＵＭＡＮ１８を介した通信を好むように予め構成され、首尾よくＵＭＡＮに登録されたことによって、移動機を定義する帯域クラス及び周波数を得る場合において、移動機はハンドオフプロセスをＵＭＡＮの検出に応じてトリガする。これに関連して、移動機は、パイロット測定メッセージ（ＰＳＭＭ）を所定の閾値より小さい全てのパイロットのパイロット強度と共に送信することができる。これに関連して、所定の閾値は、一般的に、任意の実行可能なセルのパイロット強度より小さいものとして定義される。例えば、パイロット測定メッセージは、全てのパイロットのパイロット強度をゼロまたは所定の閾値より少ない同じ小さな値に設定する。基地局制御装置２２は、パイロット測定メッセージを識別するように予め構成される。そのパイロット測定メッセージにおいては、全てのパイロット信号のパイロット強度がＵＭＡＮへ周波数間ハンドオフを開始するためのトリガとなるような所定の閾値より小さい。周波数間ハンドオフのためには、基地局制御装置は、先ず、ＵＭＡＮに割り当てられた周波数に等しく設定された候補周波数を伴うＣａｎｄｉｄａｔｅ Ｆｒｅｑｕｅｎｃｙ Ｓｅａｒｃｈ Ｒｅｑｕｅｓｔメッセージを送信する。移動機はそれから、Ｃａｎｄｉｄａｔｅ Ｆｒｅｑｕｅｎｃｙ Ｓｅａｒｃｈ Ｒｅｓｐｏｎｓｅを、候補周波数によって識別されるＵＭＡＮへ通信をハンドオフする意図を確認する基地局制御装置へ送信する。システムはそれから、基地局制御装置によって移動機へ送信されるＧＨＤＭ／ＵＨＤＭがＵＭＡＮに割り当てられた周波数と等しく設定されたターゲット周波数を含むことを除いて、図４の実施形態に関連して上述したものと同様のシグナリングシーケンスを実行する。
【００３１】
ＵＭＡＮ１８がパイロットＰＮオフセットによって識別される図４に記述されたアプローチと対照的に、帯域クラス及び無効周波数を用いるＵＭＡＮの識別表示は、ＵＭＡＮへ割り当てるための無効周波数が常に存在している点において有益である。しかし、この識別表示技術はまた、上述のように、追加の候補周波数検索ステップを要求するかもしれない。
【００３２】
図４及び５の実施形態に関連して上述したように、ＵＭＡＮが様々な方法で識別され得る一方で、本発明の方法、システム１０及び移動機１２は、ＣＤＭＡ無線アクセスネットワーク１６のようなセルラ無線アクセスネットワークからＵＭＡＮ１８への通信のシームレスなハンドオフを可能にする。そのようなものとして、移動機が以前にセルラ無線アクセスネットワークを介してコアネットワーク１４と通信していたが、今はＵＭＡＮのサービスエリアへ移動した場合において、より速いサービス及びより低いコストのようなＵＭＡＮによって提供される利点を、移動機は享受することができる。
【００３３】
ＣＤＭＡ無線アクセスネットワーク１６のようなセルラ無線アクセスネットワークからＵＭＡＮ１８へのハンドオフをサポートするために、本発明の一つの態様の移動機１２は、ＵＭＡＮの非ライセンスネットワーク制御装置３２の識別表示を識別するためのメモリと、移動機をＵＭＡＮに登録し、そしてその後、セルラ無線アクセスネットワークからＵＭＡＮへの通信のハンドオフを指示するためにセルラ無線アクセスネットワークと通信するための制御装置とを備える。以上述べたように、非ライセンスネットワーク制御装置の識別表示は、セルラネットワークによって他に使用されていないパイロットＰＮオフセットや、個々の帯域クラスの外側であって従ってその関係において無効な周波数のような様々な形式をとる。さらなる例として、本発明の一実施形態に従う移動機が図６に示される。しかし、示されここで説明される移動機は、本発明から利益を享受し得る移動機の一つのタイプの単なる例示であって、従って、本発明の範囲を限定するために採用されるべきではない。
【００３４】
図のように、アンテナ４７に加えて、移動機１２は送信器４８、受信器５０及び制御装置５２または信号を送信器及び受信器に提供し送信器及び受信器から信号を受信するその他のプロセッサをそれぞれ備えうる。これらの信号は、適用可能なセルラシステムの無線インタフェース標準規格に従うシグナリング情報と同様に図４及び５に関連して上述された信号を含み、また、ユーザスピーチ及び／またはユーザ生成データを含む。これに関連して、移動機は、一つ以上の無線インタフェース標準規格、通信プロトコル、変調方式、及びアクセス方式で動作する機能を有しうる。上述したように、移動機はデュアルモードであり、従って、一般的に、ＩＳ−９５、ＣＤＭＡ２０００または同様のものを含むＣＤＭＡプロトコルのようなセルラ無線プロトコルと、ＢｌｕｅｔｏｏｔｈTM、ＷＬＡＮ、ＷｉＭＡＸまたは同様の技術のようなＵＭＡＮによってサポートされる無線通信プロトコルとの両方にしたがって動作する機能を有する。
【００３５】
制御装置５２は、移動機１２の音声及び論理的機能を実施するために要求される回路を備えることが理解される。例えば、制御装置はデジタル信号プロセッサ装置、マイクロプロセッサ装置、及び様々なアナログ−デジタル変換器、デジタル−アナログ変換器、及びその他の支援回路からなることが考えられる。移動機の制御及び信号処理機能は、それらの個々の機能にしたがって、これらの装置の間に割り当てられる。制御装置は追加的に内部ボイスコーダ（ＶＣ）５２ａを備えることができ、また、内部データモデム（ＤＭ）５２ｂを備えてもよい。さらに、制御装置は、メモリに格納されることが考えられる一つ以上のソフトウェアプログラムを操作する機能を備えてもよい（以下に、記載）。例えば、制御装置は、ＣＤＭＡ無線アクセスネットワーク１６のようなセルラ無線アクセスネットワークからＵＭＡＮ１８へのハンドオフを生じさせるための図４及び５において説明されているシグナリングを指示する機能を有するソフトウェアプログラムを操作する機能を有してもよい。
【００３６】
移動機１２はまた、従来型のイヤホンやスピーカ５４、リンガー（ｒｉｎｇｅｒ）５６、マイク６０、ディスプレイ６２、及びユーザ入力インタフェースを含むユーザインタフェースからなる。これらの全ては制御装置５２に接続される。移動機がデータを受信することを可能とするユーザ入力インタフェースは、キーパッド６４、タッチディスプレー（図示せず）またはその他の入力装置のような、移動機がデータを受信することを可能とする多くの装置のうちの任意のものから構成されうる。キーパッドを備える実施形態においては、キーパッドは従来型の数字（０−９）及び関連するキー（＃，＊）と、移動機を操作するために使用されるその他のキーとを備える。示されていないが、移動機は移動機を操作するために要求される様々な回路に電力を供給するためのバッテリーを備えうる。
【００３７】
移動機１２はまた、データを共有し、及び／または、取得するための一以上の手段を備えうる。例えば、移動機は短距離無線周波数（ＲＦ）送受信機、または、呼掛け機（ｉｎｔｅｒｒｏｇａｔｏｒ）６６を備えることができ、それによってデータがＲＦ技術にしたがって電子装置と共有され、及び／または、電子装置から取得されうる。移動機は追加的に、または択一的に、例えば、赤外線（ＩＲ）送受信器６８、Ｂｌｕｅｔｏｏｔｈ特別利益団体によって開発されたＢｌｕｅｔｏｏｔｈブランド無線技術を用いて動作するＢｌｕｅｔｏｏｔｈ（ＢＴ）送受信機７０、及び／または、ＩＥＥＥ８０２．１１のようなＷＬＡＮ技術、ＩＥＥＥ８０２．１６のようなＷｉＭＡＸ技術またはその他の同様のものを含む一以上の無線ネットワーク技術にしたがって通信するためのＷＬＡＮ送受信機７２のようなその他の短距離送受信機を備えることができる。移動機は、従って、追加的に、または択一的に、そういった技術にしたがって、電子デバイスへデータを送信する機能、及び／または電子デバイスからデータを受信する機能を有しうる。
【００３８】
移動機１２は、さらに、移動機加入者に関連する情報要素を典型的に格納する取り外し可能なユーザ識別モジュール（Ｒ−ＵＩＭ）または同様のもののようなメモリを備えることが可能である。加えて、移動機がその他の取り外し可能な、及び／または固定されたメモリを備えることができる。これに関連して、移動機は、データの一時記憶のためのキャッシュ領域を含んだ揮発性ランダム・アクセス・メモリ（ＲＡＭ）のような揮発性メモリ７６を備えることができる。移動機はまた、内蔵された、及び／または、取り外し可能なその他の不揮発性メモリ７８を備えることも可能である。不揮発性メモリは、追加的にまたは択一的にＥＥＰＲＯＭ、フラッシュメモリ、または同様のものからなることができる。メモリは、その機能を実施するためにユーザによって使用される、多数のソフトウェアアプリケーション、命令（図４及び５のハンドオフシグナリングシーケンスを実行するためのもの、及び、同様のものを含む）、複数の情報、及びデータを格納することができる。例えば、メモリが、移動機を一意的に識別する機能を有する、国際移動体装置識別（ＩＭＥＩ）番号、国際携帯電話加入者識別（ＩＭＳＩ）番号、移動機統合サービスデジタルネットワーク（ＭＳＩＳＤＮ）番号（携帯電話番号）、インターネットプロトコル（ＩＰ）アドレス、セッション・イニシャル・プロトコル（ＳＩＰ）アドレス、または、同様のもののような識別子を格納することができる。加えて、メモリは、ＵＭＡＮ１８、そして、さらに典型的には、非ライセンスネットワーク制御装置３２の識別表示を格納することができる。
【００３９】
本発明に関連する当業者は、前述の説明及び関連する図面において示された教示に基づいて、本発明の多くの修正及びその他の実施形態に想到するであろう。従って、本発明は、開示された特定の実施形態に限定されるべきものではなく、その他の実施形態が添付された特許請求の範囲内に含まれることが意図されていると理解されるべきである。ここでは特定の用語が採用されたが、それらは、概括的、かつ、説明的な意味において使用されているだけであって、限定的な目的のものではない。
【図面の簡単な説明】
【００４０】
【図１】図１は、本発明の一実施形態に従うシステムのブロック図である。
【図２】図２は、本発明の一実施形態に従う非ライセンスネットワーク制御装置とホームネットワークとの通信を示すブロック図である。
【図３】図３は、本発明の他の実施形態に従う非ライセンスネットワーク制御装置と訪問及びホームネットワークとの間の通信を示すブロック図である。
【図４】図４は、本発明の一実施形態に従う非ライセンス移動アクセスネットワーク（ＵＭＡＮ）へＣＤＭＡ無線アクセスネットワークのようなセルラ無線アクセスネットワークから通信をハンドオフするためのシグナリングシーケンスを示すものである。
【図５】図５は、本発明の他の実施形態に従うＵＭＡＮへＣＤＭＡ無線アクセスネットワークのようなセルラ無線アクセスネットワークから通信をハンドオフするためのシグナリングシーケンスを示すものである。
【図６】図６は、本発明の一実施形態に従う移動機のブロック図である。
【図１】
2008518541.tif 000003
【図２】
2008518541.tif 000004
【図３】
2008518541.tif 000005
【図４】
2008518541.tif 000006
【図５】
2008518541.tif 000007
【図６】
2008518541.tif 000008
【国際調査報告】
2008518541.tif 000009
2008518541.tif 000010
2008518541.tif 000011